(57)【要約】【課題】本発明は、ゴムローラの削れによる黒スジ等の発生を抑えることができる原稿搬送装置及び画像形成装置を提供することを目的とする。【解決手段】本発明に係る原稿搬送装置及び画像形成装置の代表的な構成は、原稿をセットする給送トレイ１５と、給送トレイ１５にセットされた原稿束を１枚１枚に分離する分離ローラ１９、分離パット２０と、給送トレイ１５にセットされた原稿を読取位置に導くレジストローラ対２１と、読み取りを終了した原稿を排出トレイ１６に導く排出ローラ対２４を有し、読取位置に対して上流側及び下流側の搬送ローラ２２、２３による原稿の受け渡しを行う自動原稿搬送装置１０において、分離ローラ１９、レジスト駆動ローラ２１ａ、搬送ローラ２２ａ、搬送ローラ２３ａ、排出ローラ２４ａのうち少なくとも１つを白色或いは透明としたことを特徴とする。【選択図】    図２
2005029322.tif 000002
【特許請求の範囲】
【請求項１】
原稿をセットする給送トレイと、前記給送トレイにセットされた原稿束を１枚１枚に分離する分離手段と、前記給送トレイにセットされた原稿を読取位置に導く導入搬送手段と、読み取りを終了した原稿を排出トレイに導く排出搬送手段を有し、読取位置に対して上流側及び下流側の搬送手段による原稿の受け渡しを行う原稿搬送装置において、
前記分離手段、前記導入搬送手段、前記搬送手段、前記排出搬送手段に用いられるゴムローラのうち少なくとも１つを白色或いは透明としたことを特徴とする原稿搬送装置。
【請求項２】
前記ゴムローラの色をマクベス濃度０．１以下とすることを特徴とする原稿搬送装置
【請求項３】
前記ゴムローラの可視光線透過率を８５％以上とすることを特徴とする原稿搬送装置
【請求項４】
読取位置に対して上流及び下流側の搬送手段に用いられる前記ゴムローラの周速差を、上流側と比べ、０％〜０．６％程度下流側を速くし、さらに、上流側の搬送力を下流側の搬送力より約２０％以上大きくしたことを特徴とする請求項１乃至３の何れかに記載の原稿搬送装置
【請求項５】
原稿束を１枚１枚に分離する分離手段と、分離された原稿を読取位置に導く導入搬送手段と、読み取りを終了した原稿を排出する排出搬送手段とを備え、
前記分離手段、導入搬送手段、排出搬送手段に用いられるゴムローラのうち少なくとも１つを白色或いは透明としたことを特徴とする原稿搬送装置。
【請求項６】
請求項１乃至５の何れかに記載した原稿搬送装置と、
該原稿搬送装置によって送られる原稿の画像を読み取る読取部と、
該読取部によって読み取った画像に応じて記録媒体に画像を形成する画像形成部と、を有することを特徴とする画像形成装置。
【発明の詳細な説明】
【０００１】
【発明の属する技術分野】
本発明は、原稿搬送装置に関し、詳しくは、読み取り位置を境界にして原稿搬送路の上流側および下流側に各々搬送手段を有し、これらの搬送手段によって原稿を読み取り位置に対し受け渡しするように構成した原稿搬送装置と、この原稿搬送装置を用いた画像形成装置とに関するものである。
【０００２】
【従来の技術】
従来より、原稿を自動的に所定の読み取り位置に搬送し、所定の位置で原稿を読み取った後に排出する自動原稿搬送装置が知られている。特に、光学系を固定して原稿を流し読みする系では、読取位置を境界として上流側、下流側に各々搬送手段を設けた原稿搬送装置が知られている（例えば、特許文献１参照）。
【０００３】
原稿搬送装置では、原稿搬送の際上記搬送手段もしくは分離手段に用いられるゴムローラが削れ、ローラ削れカス等が原稿搬送中にプラテンガラス上に運ばれ、場合によっては、ローラ削れカスが読取位置で滞留もしくは付着し、これにより読取位置で読み取られた原稿を画像形成装置で画像形成したときに、画像に黒い筋が入ってしまう、黒スジ問題が知られている。
【特許文献１】
特開２００２−２２６０７６号公報
【０００４】
【発明が解決しようとする課題】
しかしながら、上記従来のような原稿搬送装置及び画像形成装置はゴムローラが黒色の場合、ゴムローラの削れカスが黒スジの原因となるという問題点があった。
【０００５】
詳しく説明すると、上記読取位置上流側搬送手段と、下流側搬送手段にて構成する原稿搬送装置の場合、ブレ画像を向上させるため、下流側搬送手段の搬送ローラ２３ａ直径を上流側搬送手段の搬送ローラ２２ａ直径と比べて、０〜０．６％程度大きくし周速差をつけ、かつ下流側の搬送ローラ対２３（２３ａ、２３ｂ）の搬送力を上流側と比べて約２０％以上低く設定している。
【０００６】
また、読取位置に対して上流及び下流側の搬送手段及び、給送トレイにセットされた原稿を１枚１枚に分離する分離手段及び、原稿をセットする給送トレイより読取位置上流側搬送手段へ導く搬送手段及び、読み取りを終了した原稿を排出トレイに導く、排出搬送手段に用いられるゴムローラは、通常公差が大きくなってしまう。
【０００７】
このとき、該ゴムローラは、周速差により、斜行、斜送等の問題を引き起こすのでローラを研磨することにより、寸法公差を規制している。ゴムローラに研磨を行うと通常ローラ表面に研磨目が出来る。このように、ゴムローラに研磨目があり、さらに原稿をローラ間で引っ張り合う場合、原稿とゴムローラが滑り、ゴムローラの削れを加速してしまう。この削れカスが黒色の場合、画像に黒スジとなって表れてしまう。
【０００８】
そこで本発明は、ゴムローラの削れによる黒スジ等の発生を抑えることができる原稿搬送装置及び画像形成装置を提供することを目的とする。
【０００９】
【課題を解決するための手段】
上記課題を解決するために本発明に係る原稿搬送装置及び画像形成装置の代表的な構成は、原稿をセットする給送トレイと、前記給送トレイにセットされた原稿束を１枚１枚に分離する分離手段と、前記給送トレイにセットされた原稿を読取位置に導く導入搬送手段と、読み取りを終了した原稿を排出トレイに導く排出搬送手段を有し、読取位置に対して上流側及び下流側の搬送手段による原稿の受け渡しを行う原稿搬送装置において、前記分離手段、導入搬送手段、搬送手段、排出搬送手段に用いられるゴムローラのうち少なくとも１つのゴムローラを白色或いは透明としたことを特徴とする。
【００１０】
【発明の実施の形態】
［第一実施形態］
本発明に係る原稿搬送装置及び画像形成装置の第一実施形態について、図を用いて説明する。図１は本実施形態にかかる画像読取装置に搭載された原稿搬送装置を示す図、図２は原稿搬送装置の主要部を示す図である。
【００１１】
図１に示すように、自動原稿搬送装置１０は画像読取装置本体１のコンタクトガラス２面上を通過するように原稿を搬送するようになっている。装置本体１は、コンタクトガラス２を介してランプ等の光源３からの光を搬送される原稿に照射し、その反射光をミラー４で反射させて例えばＣＣＤなどの読取手段により光電変換した原稿シートの画像を読み取る。すなわち、コンタクトガラス２上面が装置本体１の読取部を構成している。なお、装置本体１は原稿を載置可能な面積のコンタクトガラス５も備えており、自動原稿搬送装置１０を開閉してコンタクトガラス５上面に載置された原稿を光源３やミラー４などからなる光源ユニットを副走査方向に移動させることによってコンタクトガラス５を介して原稿シートの画像を読み取ることもできるようになっている。
【００１２】
自動原稿搬送装置１０は、複数枚の原稿シートを載置可能な給送トレイ１５と、給送トレイ１５上の原稿を１枚づつ分離してコンタクトガラス２に向けて給送する給送部１１（給送手段）と、原稿シートをコンタクトガラス２上面にそって通過させる搬送部１２と、コンタクトガラス２上面を通過した原稿シートを受け取って排出する排出部１３と、この排出部１３から排出される画像を読み取られた原稿を収納する排出トレイ１６とを備えている。
【００１３】
さらに、この原稿搬送装置１０はコンタクトガラス２上面から排出される原稿シートの排出部１３でスイッチバックさせ、再び給送部１１に送り込みコンタクトガラス２上面に給送させるスイッチバック部１４と、を具備している。ここで、給送トレイ１５は、ある程度の角度で傾斜して、排出トレイ１６の上方に空間を確保して配置されている。
【００１４】
給送トレイ１５に載置された原稿シートは、その側部を規制するサイドガイド１７で規制され、ストッパ６０に先端を規制されるようになっている。また、給送トレイ１５は、載置された原稿シートの先端側の１５ａを支点として、回動自在に取り付けられている。
【００１５】
給送部１１は、下降して給送トレイ１５上の原稿の最上面に接し、原稿を繰り出す昇降自在な繰り出しローラ１８、繰り出しローラ１８で繰り出した原稿を分離給送する分離手段として例えば、分離ローラ１９と最上位原稿を１枚のみ通過して２枚目以降の原稿給送を阻止する分離パット２０、この分離手段で１枚に分離された原稿の先端を突き当てて整合した後に下流側に送るレジストローラ対２１で構成され、給送路２５に沿って原稿シートを給送する。
【００１６】
搬送部１２は、搬送手段として例えばコンタクトガラス２の上流側にコンタクトガラス２に原稿シートを供給する一対の搬送ローラ２２、下流側にコンタクトガラス２から原稿シートを排出する一対の搬送ローラ２３を備えており、原稿シートは本体１側のコンタクトガラス２及びすくい上げガイド６と自動原稿搬送装置１０のバックアップガイド２６ａで形成された搬送路２６に沿って搬送される。
【００１７】
排出部１３とスイッチバック部１４は排出トレイ１６側の一部を共有しており、原稿を排出トレイ１６に排出する排出ローラ対２４が設けられている。この排出ローラ対２４は、後述するように、両面モードの際に原稿の後端をニップした状態で逆回転して原稿をスイッチバックして排出部１３に送るように制御され、さらに排出ローラ対２４はスイッチバック部１４から排出部１３及び搬送部１１を介して循環される原稿の先後端がすれ違う際に支障なく搬送できるように排出駆動ローラ２４ａから排出従動ローラ２４ｂが離間するように構成されている。
【００１８】
また、排出部１３とスイッチバック部１４の共有部には、原稿シートを排出部１３に案内するフラッパ２９が設けられている。このフラッパ２９は、原稿が排出路２７に沿って排出ローラ対２４に送られる際には、排出される原稿先端により上方に押しあがり排出ローラ対２４に原稿を案内し、排出ローラ対２４にて原稿をスイッチバックする際には下方に位置して排出路２７を塞ぎ、スイッチバック路２８に原稿を案内するように構成されている。
【００１９】
排出路２７は、コンタクトガラス２に対向して設けられたバックアップガイド２６ａを延設した排出上ガイド２７ａと、排出トレイ１６と一体に樹脂形成された排出下ガイド２７ｂで形成されている。スイッチバック路２８は、フラッパ２９の原稿案内面に連続して設けられたスイッチバック下ガイド２８ｂとスイッチバック上ガイド２８ａとで原稿をレジストローラ対２１のニップ点に案内するように形成されている。
【００２０】
つまり、スイッチバック路２８と給送路２５とはレジローラ対２１のニップ点で合流するように構成されており、給送路２５を給送される原稿シートとスイッチバック路２８を送られ再給送される原稿シートは、レジストローラ対２１でそれぞれ整合される。このように、原稿シートの整合位置（レジストローラ対２１）を共有することで、装置全体の原稿送り経路が簡略化されてコンパクトになり、原稿搬送制御についても簡素化できる。
【００２１】
また、スイッチバック路２８と給送路２５とはレジストローラ対２１のニップ点で合流するように構成することで、分離ローラ１９からレジストローラ対２１に至る給送路２５とフラッパ２９からレジストローラ対２１に至るスイッチバック路２８が略直線に形成できるので、原稿にストレスが加わることなく、スムーズにレジストローラ対２１に案内され原稿の整合がなされる為、適切なスキューの除去が可能となる。
【００２２】
さらに、合流位置にはレジストローラ対２１のニップ点に原稿を誘い込むマイラー２８ｃが延設されているので、給送路２５を給送される原稿シートとスイッチバック路２８を送られ再給送される原稿シートのいずれの原稿も確実にレジストローラ対２１のニップ点に導かれることになり、確実に整合される。
【００２３】
ここで、図３に示すように、給送路２５は、上ガイド板２５ａおよび下ガイド２５ｂが対向して形成されており、上ガイド板２５ａは回動支点１０ｃに回動可能に支持された外装カバー１０ａに固設されて一体に反時計回りに回動されることにより開閉することができるようになっている。なお、外装カバー１０ａには繰り出しローラ１８や分離ローラ１９、レジストローラ対２１の従動ローラ２１ｂが配設されて一体に回動するようになっている。
【００２４】
また、図４に示すように、スイッチバック上ガイド２８ａは、給送下ガイド２５ｂと一体に形成されており、この一体ガイドは排出駆動ローラ２４ａの回転軸を支点として時計方向に回動可能に支持されている。なお、スイッチバック上ガイド２８ａと給送下ガイド２５ｂを一体としたガイドには分離パット２０および分離パット２０の付勢バネ２０ａが取り付けられ、一体回動するようになっている。
【００２５】
次に各ローラの駆動構成について図５、図６に基づき説明する。なお、自動原稿搬送装置１０は正逆転自在な給送モータＭ１と搬送モータＭ２で各ローラを駆動するように構成されており、図５は給送モータＭ１の駆動伝達系を示すものであり、図６は搬送モータＭ２の駆動伝達系を示すものである。
【００２６】
まず、給送モータＭ１の駆動伝達系は、図５で示すように給送モータＭ１の正転駆動はプーリＰ１６からタイミングベルトＴ１６を介してプーリＰ３６に伝達され、プーリＰ３６の駆動はギヤＺ１７、ギヤＺ１９、分離ローラ１９の駆動軸に取り付けられたギヤＺ１８の順に伝達されて、分離ローラ１９が原稿を給送する方向に回転する。分離ローラ１９の駆動軸には、プーリＰ１８が設けられており、繰り出しローラ１８の軸に設けられたプーリＰ１１との間に張架したタイミングベルトＴ２を介して繰り出しローラ１８にも駆動が伝達される。
【００２７】
また、分離ローラ１９の駆動軸には、繰り出しローラ１８を支持する昇降アーム１８ａの一端側が取り付けられており、この駆動軸の給送方向の回転（給送モータＭ１の正転駆動）により昇降アームが回動して繰り出しローラ１８が下降し、繰り出しローラが原稿に接触すると、バネクラッチＡ、バネクラッチＢの作用により昇降アーム１８ａに対して分離ローラ１９の駆動軸は空転するように構成している。
【００２８】
このとき、レジスト駆動ローラ２１ａは、その駆動軸に設けられたプーリＰ２８と、プーリＰ３６と同軸に設けられたプーリＰ２２に張架したタイミングベルトＴ３により連結されているが、プーリＰ２８内に設けられたワンウエイクラッチＯＷ１の作用で回転しない。
【００２９】
給送モータＭ１の逆転駆動は、プーリＰ１６からタイミングベルトＴ１６を介してプーリＰ３６に伝達され、プーリＰ３６と同軸に設けられたプーリＰ２２からタイミングベルトＴ３を介してレジスト駆動ローラ２１ａの軸に取り付けられたプーリＰ２８に伝達され、レジスト駆動ローラ２１ａを給送方向に回転させる。
【００３０】
このとき、分離ローラ１９の駆動軸にも給送モータＭ１の逆転駆動が伝達され、昇降アーム１８ａを反時計回りに回動させることにより、繰り出しローラ１８を上昇させるが、分離ローラ１９はその内部に設けられたワンウエイクラッチＯＷ２の作用で回転しない。上昇された昇降アーム１８ａは規制部材（図示せず）に当接し、バネクラッチＣの作用により昇降アーム１８ａに対して分離ローラ１９の駆動軸は空転するように構成している。
【００３１】
このような構成において、分離ローラ１９の駆動軸に取り付けられたギヤＺ１８は、繰り出しローラ１８、分離ローラ１９とともに、外装カバー１０ａに配設されて一体に回動するようになっており、外装カバー１０ａが回動して給送路２５を開放することによりギヤＺ１９から離間し、閉鎖することによりギヤＺ１９と歯合するようになっている。
【００３２】
次に図６で示すように搬送モータＭ２の駆動伝達系は、その駆動軸に設けられたプーリＰ２６からタイミングベルトＴ４を介してプーリＰ４６に駆動を伝達し、プーリＰ４６の同軸に設けられたプーリＰ３３からタイミングベルトＴ６を介して搬送ローラ２３ａの軸に取り付けられたプーリＰ３２に駆動が伝達されて搬送ローラ２３ａが正回転または逆回転される。さらに、プーリＰ３２に伝達された駆動は、タイミングベルトＴ７を介して搬送ローラ２２ａの軸に取り付けられたプーリＰ３１に駆動が伝達されて搬送ローラ２２ａが正回転または逆回転されるように構成されている。
【００３３】
また、タイミングベルトＴ４を介してプーリＰ４６に伝達された搬送モータＭ２の駆動は、プーリＰ４６の同軸に設けられたプーリＰ４２からタイミングベルトＴ５を介してプーリＰ４８に伝達され、プーリＰ４８の同軸に設けられた排出駆動ローラ２４ａが正回転または逆回転される。
【００３４】
さらに、排出ローラ対２４を離間させる駆動源としての不図示の圧接ソレノイドＳＯＬが設けられている。この圧接ソレノイドＳＯＬは、圧接ソレノイドＳＯＬを励磁（ＯＮ）することにより排出従動ローラ２４ｂを排出駆動ローラ２４に圧接する位置に移動させ、励磁を解除（ＯＦＦ）することにより排出従動ローラ２４ｂを排出駆動ローラ２４ａから離れる方向に付勢するバネの作用で排出従動ローラ２４ｂを排出駆動ローラ２４ａから離間する位置に移動させるように構成されている。
【００３５】
給送トレイ１５の原稿給送方向下流側には、給送トレイ１５上に原稿が載置されたことを検出するエンプティセンサＳ４が設けられ、原稿シートを案内する経路中には、給送路２５を給送される原稿シートの端部を検出するレジストセンサＳ５、コンタクトガラス２の手前に設けられ原稿シートの端部を検出するリードセンサＳ６、コンタクトガラス２から排出される原稿シートの端部を検出する排出センサＳ７がそれぞれ設けられている。
【００３６】
なお、経路中を送られる原稿シートを検出するレジストセンサＳ５、リードセンサＳ６、排出センサＳ７の全てのセンサは、給送路２５から搬送路２６、排出路２７、スイッチバック路２８を介して再び搬送路２６に戻るループ状に形成された経路の内側の空間に配置している。これによりセンサを取り付けるためのスペースを確保する必要がなく装置が小型化できる。
【００３７】
ここで、レジストセンサＳ５は、図７に示すようにレバー型センサを採用しており、センサレバーＳ５ａを給送路２５とスイッチバック路２８の両方に突出するよう配置させている。このような構成にすることにより、給送路２５を送られる原稿とスイッチバック路２８を送られる原稿の両方を１つのセンサで検出しているので、装置として使用するセンサの数を削減している。
【００３８】
なお、本実施形態では、給送路２５とスイッチバック路２８を送られる原稿を検出するセンサにレバー型センサを採用したが、透過型センサを用いて両経路の原稿の検出を行うこともできる。
【００３９】
各センサＳ１〜Ｓ７は、装置全体の駆動を制御するＣＰＵに接続されており、各センサからの検知信号に基づいて、上述した各モータＭ１、Ｍ２が駆動されると共に圧接ソレノイドＳＯＬの励磁がなされる。
【００４０】
このような原稿搬送装置の場合、ブレ画像を向上させるため、下流側搬送手段の搬送ローラ２３ａの直径を上流側搬送手段の搬送ローラ２２ａ直径と比べて、０〜０．６％程度大きくし下流側の周速を速くしている。また、上流側の搬送ローラ対２２（２２ａ、２２ｂ）の搬送力を強くし、下流側の搬送ローラ対２３の搬送力は上流側と比べて約２０％以上低く設定している。
【００４１】
また、分離ローラ１９、レジストローラ２１ａ、搬送ローラ２２ａ、２３ａ、排出ローラ２４ａのゴムローラは、例えばＥＰＤＭ（エチレンプロピレンジエンゴム）でできている。このような材質のローラは通常寸法公差が大きくなってしまい、周速差により、斜行、斜送等の問題を引き起こすのでゴムローラを研磨することにより、寸法公差を規制している。ゴムローラを研磨すると、ゴムローラには研磨目ができてしまう。ゴムローラに研磨目がある時、特に原稿をゴムローラ間で引っ張り合う場合、該原稿搬送装置では、原稿搬送の際、原稿とゴムローラの滑りにより、該ゴムローラが削れてしまう。該ゴムローラ削れ等が原稿搬送中にプラテンガラス上に運ばれ、場合によっては、該ゴムローラ削れが読取位置で滞留もしくは付着すると、これにより読取位置で読み取られた原稿を画像形成装置で画像形成したときに、該画像に筋が入ってしまう。特に、該搬送ゴムローラが黒色である場合、画像に表れる筋は黒スジとなる。
【００４２】
オフィスで複写機により印刷される原稿は一般的には文章原稿が多く、文章原稿は白色部の割合が多い。
【００４３】
そこで、本実施形態では、給送トレイにセットされた原稿を１枚１枚に分離する分離手段に用いられる分離ローラ１９、給送トレイにセットされた原稿を読取位置に導く導入搬送手段に用いられるレジストローラ２１ａ、読取位置に対して上流及び下流側の搬送手段に用いられる搬送ローラ２２ａ及び搬送ローラ２３ａ、読み取りを終了した原稿を排出トレイに導く排出搬送手段に用いられる排出ローラ２４ａを白色とした。これにより、この筋を白いものとすることができ、該筋を目立たなくすることができ、高品質な画像形成を行うことができる。
【００４４】
分離ローラ１９、レジストローラ２１ａ及び、搬送ローラ２２ａ、２３ａ、排出ローラ２４ａのゴムローラの白色度は画像形成装置が画像形成しない色が望ましく、マクベス濃度０．１以下とした。
なお、ゴムローラの材質は、例えばシリコンゴム、ウレタンゴム等、ゴム特性により選択でき、ＥＰＤＭに限定されることはない。
【００４５】
上述のごとく構成した自動原稿搬送装置１０によって送られる原稿の画像を読み取る読取部を備えた画像読取装置本体１を画像形成装置に設けることにより、画像読取装置本体１によって読み取った画像に応じて記録媒体に画像を形成する際に、ゴムローラの削れが原因で起こる原稿を画像形成装置で画像形成したときに、画像に入ってしまう筋を白色とし、筋を目立たなくすることができ、高品質な画像形成をおこなうことができる。
【００４６】
［第二実施形態］
次に本発明に係る原稿搬送装置及び画像形成装置の第二実施形態について説明する。上記第一実施形態と説明の重複する部分については、同一の符号を付して説明を省略する。
【００４７】
上記第一実施形態において、写真画像等の白色部の少ない原稿を画像形成した際は、この白スジも目立つものとなってしまう。
【００４８】
そこで、本実施形態に係る原稿搬送装置及び画像形成装置の分離ローラ１９、レジストローラ２１ａ及び、搬送ローラ２２ａ、２３ａ、排出ローラ２４ａのゴムローラの色は、透過性があるものとした。
【００４９】
透過度を高くすることにより、画像読み取り時のランプ等の光源３からの光を妨げず、白スジも目立たなくすくことが可能である。可視光線透過率が８５％以上であると白スジも目立たなくすることができる。
【００５０】
なお、可視光線透過率が８５％以上である場合においては、分離ローラ１９、レジストローラ２１ａ及び、搬送ローラ２２ａ、２３ａ、排出ローラ２４ａのゴムローラに色がついていても画像に大きく影響を与えることはない。
なお、本発明による自動原稿搬送装置１０は原稿を画像読取装置本体１の読取部のコンタクトガラス２面上を通過搬送する場合を例示したが、例えば画像読取装置本体１のコンタクトガラス５面上に原稿シートを搬送し、コンタクトガラス５上面に搬送された原稿を光源３やミラー４などからなる光源ユニットを副走査方向に移動させることによって原稿シートの画像を読み取り、その後、原稿シートをコンタクトガラス５上面から排出する通常の自動原稿搬送装置においても適用できる。即ち、通常の自動原稿搬送装置においても分離ローラ１９、レジストローラ２１ａ及び、搬送ローラ２２ａ、２３ａ、排出ローラ２４ａのゴムローラのうち少なくとも１つのゴムローラを白色或いは透明にする事で、コンタクトガラス５上面に搬送付着されたゴムローラ削れカスが原因で起こる、原稿を画像形成装置で画像形成したときに、画像に入ってしまうゴムローラ削れカスを目立たなくすることができ、高品質な画像形成をおこなうことができる。
【００５１】
【発明の効果】
以上説明したように、読取位置に対して上流側の前記搬送手段に用いられるゴムローラ、読取位置に対して下流側の前記搬送手段に用いられるゴムローラ、前記排出搬送手段に用いられるゴムローラ、前記分離手段に用いられるゴムローラのうち少なくとも１つのゴムローラを白色或いは透明とした。
【００５２】
これにより、ゴムローラの削れが原因で起こる原稿を画像形成装置で画像形成したときに、画像に入ってしまう筋を白或いは無色とし、筋を目立たなくすることができ、高品質な画像形成をおこなうことができる。
【図面の簡単な説明】
【図１】本実施形態にかかる画像読取装置に搭載された原稿搬送装置の断面図である。
【図２】原稿搬送装置の拡大断面図である。
【図３】原稿搬送装置の原稿搬送路を開放したときの状態を示す図である。
【図４】原稿搬送装置の原稿搬送路を開放したときの状態を示す図である。
【図５】原稿搬送装置の駆動図である。
【図６】原稿搬送装置の駆動図である。
【図７】原稿搬送装置の要部説明をする断面図である。
【符号の説明】
１        …画像読取装置本体
１０        …自動原稿搬送装置
１１        …給送部
１２        …搬送部
１３        …排出部
１４        …スイッチバック部
１５        …給送トレイ
１６        …排出トレイ
１７        …サイドガイド
１９        …分離ローラ
２０        …分離パット
２０ａ    …付勢バネ
２１        …レジストローラ対
２１ａ    …レジスト駆動ローラ
２１ｂ    …従動ローラ
２２  ・・・・搬送ローラ対
２２ａ・・・搬送ローラ
２３・・・・搬送ローラ対
２３ａ    …搬送ローラ
２４        …排出ローラ対
２４ａ    …排出駆動ローラ
２４ｂ    …排出従動ローラ
２５        …給送路
２７        …排出路
２８        …スイッチバック路
【図１】
2005029322.tif 000003
【図２】
2005029322.tif 000004
【図３】
2005029322.tif 000005
【図４】
2005029322.tif 000006
【図５】
2005029322.tif 000007
【図６】
2005029322.tif 000008
【図７】
2005029322.tif 000009